(57)【要約】【課題】釣り用の上着として、ポケットの使用勝手の良好な技術を提供。【解決手段】上着本体１２の前身頃の部分の浮力材７０に凹み部分９０を設ける。凹み部分９０は、ポケット３０を配置する箇所に対応する。ポケット３０は、二段重ねにしたルアーケースを入れるだけの大きさである。しかもまた、ポケット３０は、上側に出し入れ口をもち、ポケットふた３２０が下端を中心に前に倒れる形式になっている。【選択図】図５
2020023760.tif 000002
【特許請求の範囲】
【請求項１】
前身頃および後見頃を含み、上半身を被う上着本体と、その上着本体に伴い、少なくとも前身頃の部分に対応する箇所に凹み部分を含む浮力材と、その浮力材の凹み部分に少なくとも一部が入り込むポケットとを備える釣り用の上着であって、次の各構成および条件を充足する釣り用の上着。
Ａ  前記ポケットは、上側およびその上側に続く側部の部分が開閉するポケットふたを含み、そのポケットふたを開けるとき、ポケットふたは下端を中心に前傾する構成であり、上側およびその上側に続く側部の部分の周りに、モノを出し入れするための開口をもつこと。
Ｂ  前記ポケットふたを閉じたとき、そのポケットふたとポケットふたに向かい合うポケット内壁との距離ｄと、ルアーケースを二段重ねしたときのケース厚さｔとは、ｄ≧ｔの関係を満たすこと。
【請求項２】
前記ポケットは、所定のクリアランスをもって、前記二段重ねのルアーケースを入れることができるだけの大きさである、請求項１の釣り用の上着。
【請求項３】
前記凹み部分は、前記ルアーケースに適う形状であり、少なくとも一個のルアーケースが入り込む大きさである、請求項２の釣り用の上着。
【請求項４】
前記前身頃の下端は、前記後身頃に付属する腰パットの下端より上方であるが、前記後身頃の下端より下方に位置する、請求項１の釣り用の上着。
【請求項５】
前記上着は、袖のないベスト、あるいは袖のあるジャケットのいずれか一方である、請求項１の釣り用の上着。
【請求項６】
前記前身頃における浮力材による浮力と、前記後身頃における浮力材による浮力とのバランスをとった、請求項４の釣り用の上着。
【発明の詳細な説明】
【技術分野】
【０００１】
この発明は、浮力材とポケットとを含む、釣り用の上着の技術に関する。特には、ポケットの使い勝手を良くした技術に関する。
【背景技術】
【０００２】
一般に、この種の釣り用の上着は、フローティングベストあるいはフィッシングベストと称され、袖のないものが多い。この上着は、浮力材を含むことから厚みがあり、釣り用の小物を入れるためのポケットを複数含む。釣り人の多くは、ルアーなどの小物をケースの中に入れ、その小物を収納したケースをポケットの中に入れる。ここでは、ケースをルアーケースと総称するが、ルアーを入れるほか、はさみや重りといった釣り用の他の小物を入れる場合もある。主要なポケットは、上着本体の前身頃の前面に位置する。そのため、ルアーケースを入れたポケットは、前に膨らむことから、上着を着た釣り人の動きを制限することにもなりかねない。
【０００３】
ポケットの前への膨らみを小さくするため、浮力材に凹み部分を設け、その凹み部分にポケットの少なくとも一部を逃がす技術（特許文献１）が知られている。また、浮力材の凹み部分について、身頃の上方から下方に向けて傾斜させることにより、釣り人の動作の際にも、ポケットが前側に膨れ出ないようにした技術（特許文献２）も知られている。
【先行技術文献】
【特許文献】
【０００４】
【特許文献１】特開２００３−１２９３１１号公報
【特許文献２】特開２０１１−１２３５５号公報
【発明の概要】
【発明が解決しようとする課題】
【０００５】
浮力材に凹み部分を設ける考え方においては、特許文献１および２が示すように、ポケットの膨らみをできるだけ抑えることを主眼にしている。しかし、釣り人は、より大きな収納量（容量）をもつポケットを求める傾向がある。
【０００６】
そこで、この発明では、浮力材に凹み部分を設ける考え方を生かしつつ、より大きな容量をもつポケットを含む、釣り用の上着を提供することを目的とする。
【０００７】
特に、この発明では、二段重ねにしたルアーケースを入れることができるだけの大きさをもつポケットを含み、しかも、そのような大きなポケットに対しルアーケースの出し入れを良好に行うことができる技術を提供することを目的とする。
【０００８】
この発明のその他の目的については、今後の説明から明らかになるであろう。
【課題を解決するための手段】
【０００９】
この発明の釣り用の上着は、前身頃および後身頃を含み、上半身を被う上着本体と、その上着本体に伴い、少なくとも前身頃の部分に対応する箇所に凹み部分を含む浮力材と、その浮力材の凹み部分に少なくとも一部が入り込むポケットとを備える。浮力材の凹み部分にポケットの少なくとも一部が入り込むことにより、その入り込んだ分だけ、ポケットの膨らみを抑えることができる。
【００１０】
この発明では、浮力材の凹み部分を活用することを前提とするが、それに加えて、ポケットの容量を増大しつつ、ポケットの使い勝手を良好にする。そのための特徴的な構成および条件は、次のとおりである。
Ａ  前記ポケットは、上側およびその上側に続く側部の部分が開閉するポケットふたを含み、そのポケットふたを開けるとき、ポケットふたは下端を中心に前傾する構成であり、上側およびその上側に続く側部の部分の周りに、モノを出し入れするための開口をもつこと。
Ｂ  前記ポケットふたを閉じたとき、そのポケットふたとポケットふたに向かい合うポケット内壁との距離ｄと、ルアーケースを二段重ねしたときのケース厚さｔとは、ｄ≧ｔの関係を満たすこと。
【００１１】
上側およびその上側に続く側部の部分が開閉するポケットは、釣り人にとってモノの出し入れをしやすい。その場合、ポケットの開口は、まっすぐ上方あるいは頭上の方向に向くようにしても良いし、少し左右に傾く方向に向くようにしても良い。ポケットを開けるとき、ポケットふたは下端を中心に前傾する。その前傾の程度は、４５°を越えないように、好ましくは３０°程度にするのが良い。なぜなら、釣り場での釣り人の動きの中、ポケット内部のモノをより確実にポケットの中に収めておくことができるし、ポケットに対しモノの出し入れもしやすいからである。その前傾の程度は、たとえば、ポケットの両側にマチを設けることなどにより規制することができる。
【００１２】
この発明では、ルアーケースを二段重ねにした状態で収納できるようなポケットを提供する。ルアーケースは、釣り人にとって最も身近なケースであり、その大きさも各メーカーの間に大きな差はない。たとえば、たてが１０〜１５ｃｍ、よこが７〜１０ｃｍ、たかさが２〜３．５ｃｍである。ポケットは、所定のクリアランスをもって、二段重ねのルアーケースを入れることができるだけの大きさである。ポケットは、たとえば、たてが１６〜１８ｃｍ、よこが１２〜１４ｃｍ、凹み部分を含めたたかさが８〜１０ｃｍである。
【００１３】
好ましい形態では、浮力材の凹み部分を、ルアーケースに適う形状であり、少なくとも一個のルアーケースが入り込む大きさにする。それにより、二段重ねにした下側のルアーケースが凹み部分にすっぽりと入り込むことになり、ポケットふたを開けたとき、上側のルアーケースが前に倒れることはあるにしても、下側のルアーケースは凹み部分に入ったままである。すなわち、ポケットふたを開く際、内部のルアーケースが外に飛び出すことを確実に防ぐことができる。
【００１４】
浮力材に凹み部分を設ければ、その凹み部分に相当するだけの浮力材の量が不足する。その不足を補うため、凹み部分を設けた前身頃については、その周辺を必要な分だけ広げる。周辺の浮力材の厚みを増すこともできるが、着心地の点からは、厚みを増すよりも周辺を広げることの方が好ましい。また、前身頃の側と後身頃の側との浮力のバランスをとることは勿論である。浮力バランスをとる上で、後身頃に付属する腰パッドの浮力材の厚さを変えることも有効である。
【００１５】
なお、この発明の釣り用の上着には、袖のないベストだけでなく、袖のあるジャケットをも含む。
【図面の簡単な説明】
【００１６】
【図１】この発明の一実施例である、釣り用の上着の正面図である。
【図２】図１の釣り用の上着の背面図である。
【図３】図１の釣り用の上着の内側を示す展開図である。
【図４】図３における４−４線に沿う断面図である。
【図５】ポケット部分の構成を示す、部分的な図である。
【発明を実施するための形態】
【００１７】
図１および図２に示すように、釣り用の上着１０は、袖のないベストのタイプである。上着１０の主体は、上半身を被う上着本体１２である。上着本体１２は、体の表側を被う前身頃の部分１２２と、背中側を被う後身頃の部分１２４とを含む。この例では、後身頃の部分１２４は全体的に左右が一体であるが、前身頃の部分１２２は、左右に二分され、第１の部分１２２１と第２の部分１２２２とを含む。
【００１８】
前身頃の第１の部分１２２１と第２の部分１２２２とは、互いに向かい合う側部を、スライドファスナ１４、ならびにバックルベルト１６ａ，１６ｂおよび小さな連結ベルト１８によって連結されている。そして、第１の部分１２２１と第２の部分１２２２とが一体化した前身頃の部分１２２は、側部の連結ベルト２０ａ，２０ｂおよび肩部の連結ベルト２２ａ，２２ｂによって、上着本体１２の大きさを調節可能に連結されている。
【００１９】
このような上着本体１２は、多数のポケットを備えている。ポケットは、デザインを考慮し、前身頃と後身頃とに適正に分散して配置されている。前身頃の第１および第２の各部分１２２１，１２２２には、腹周りに四角いポケット３０、その上の胸周りに握り形状の小ポケット４０がそれぞれある。また、後身頃の部分１２４には、背中の真ん中に正方形形状の大ポケット５０、その下に長方形形状の小型のポケット６０がある。
【００２０】
このようなポケットのうち、前身頃の四角いポケット３０は、ルアーケースを二段重ねにした状態で収納することができる容量をもつ。しかしながら、上着本体１２の前身頃の表面から突き出るポケット３０の高さは、前身頃における他の小ポケット４０とほぼ同様である。その形態は、デザイン的に好ましいだけでなく、釣り人の動作をスムーズにするというメリットをも生み出す。
【００２１】
上着本体１２は、ポリエチレン樹脂（ＰＥ）やエチレン・酢酸ビニル共重合樹脂（ＥＶＡ）などの樹脂製の浮力材を備える。前身頃のポケット３０の突き出し高さを小さくするため、この発明では、ポケット３０を配置する浮力材の対応箇所に、特定の凹み部分を設けている。図３に示すように、浮力材７０は、上着本体１２の全体にわたる。背中に位置する後身頃の浮力材７０については、背中の中心部分７２や脇の部分７４ａ，７４ｂをカットし、釣り人が動きやすくしている。なお、図３に示すように、後身頃の下端の腰周りの部分には、腰パッド８０がある。腰パッド８０は、たとえば厚さ１．５ｃｍの浮力材を含み、釣り人の腰を保護するともに、付属するベルト通しによってウエストベルトを支持する働きをする。
【００２２】
図４は、前身頃の浮力材７０の断面構造を示すが、ポケット３０に対応する箇所に、たとえば、深さ４ｃｍほどの凹み部分９０を設ける。この凹み部分９０は、ルアーケースの一個分に相当する容積をもつ。釣り用の上着１０は、凹み部分９０の中にポケット３０を入り込ませた形態である。図５が、ポケット３０の部分の構成を示している。凹み部分９０をもつ浮力材７０は、前身頃の袋状の生地１２２０の中に納まっている。ポケット３０は、収納部を形作るポケット本体３１０と、そのポケット本体３１０の開口をふさぐポケットふた３２０とを含む。
【００２３】
ポケット３０には、上側およびその上側に続く側部にわたるスライドファスナ３３０がある。そのスライドファスナ３３０を開くとき、ポケットふた３２０は、下端を中心に前に倒れる構成である。ただ、ポケット３０は、両側部にマチ３４０を付属していることにより、ポケットふた３２０は最大で３０°ほど前傾するだけである。
【００２４】
上側に取り出し口をもつポケット３０は、モノの出し入れに適している。そしてまた、ポケット３０は、二段重ねにしたルアーケースを入れることができるだけの大きさになっている。すなわち、ポケットふた３２０を閉じたとき、そのポケットふた３２０とポケットふたに向かい合うポケット内壁との距離は、ルアーケースを二段重ねしたときのケース厚さよりも大きくなっている。このようなポケット３０は、釣り人が釣りの中でポケットからルアーなどのモノを出し入れすることに好適である。
【００２５】
上着１０のポケット３０には、ルアーケースを二段重ねにした状態で入れることができ、その状態で、スライドファスナ３３０を閉じてポケット３０を閉めることができる。他方、スライドファスナ―３３０を開くことにより、ポケットふた３２０を前に倒した際、ポケット３０内の上側のルアーケースが前に倒れることはあるにしても、下側のルアーケースは凹み部分９０に位置したままである。すなわち、ポケットふたを開く際、内部のルアーケースが外に飛び出すようなことはない。
【００２６】
釣り用の上着１０によれば、浮力材７０に設けた凹み部分９０によって、ポケット３０の前への突き出し量を抑えることができる。しかもまた、凹み部分９０は、ポケット３０を開けた際、ポケット３０内にある、下側のルアーケースをポケット３０内に保持する働きをもする。したがって、ポケット３０を含む上着１０は、釣りの動作の中でモノを出し入れする上で好適である。
【符号の説明】
【００２７】
１０  釣り用の上着
１２  上着本体
１２２  前身頃の部分
１２４  後身頃の部分
３０  ポケット
３１０  ポケット本体
３２０ポケットふた
７０  浮力材
９０  凹み部分
【図１】
2020023760.tif 000003
【図２】
2020023760.tif 000004
【図３】
2020023760.tif 000005
【図４】
2020023760.tif 000006
【図５】
2020023760.tif 000007